(57)【要約】【課題】遮蔽機構の隙間から空気流路内に空気が漏れるおそれを減らすことができる空気調和システムの提供。【解決手段】空気調和機１は、空気を搬送することが可能な吸排気ダクト６と、吸排気ダクト６を流れる空気が通過する開口３６，３７が形成されている下部ケーシング３２と、下部ケーシング３２の表面に対して交差する方向に移動することで開口３６，３７を遮蔽または開放する弁体４３，９３と、円筒状カム４２，９２とを備えている。円筒状カム４２，９２は、モータ７１ａによって回転駆動される円筒カム部４１，９１を有しており、開口３６，３７が遮蔽または開放されるように円筒カム部４１，９１の回転を直線運動に変換して弁体４３，９３を移動させる。また、円筒状カム４２，９２は、回転基準位置が円筒カム部４１，９１の下溝部４１ｅ，９１ｅにある場合、開口３６，３７が弁体４３，９３によって遮蔽されるように構成されている。【選択図】図４
2010175177.tif 000002
【特許請求の範囲】
【請求項１】
空気を搬送することが可能な空気流路（６）と、
前記空気流路を流れる空気が通過する開口（３６，３７）が形成されている形成部材（３２）と、
前記形成部材の表面に対して交差する方向に移動することで前記開口を遮蔽または開放することが可能な弁体（４３，９３）と、
駆動源（７１ａ）によって回転駆動される回転部材（４１，９１）を有し、前記開口が遮蔽または開放されるように前記回転部材の回転を直線運動に変換して前記弁体を移動させることが可能な弁体移動機構（４２，９２）と、を備え、
前記弁体移動機構は、前記回転部材が回転することによって回転基準位置が前記回転部材の所定の角度範囲（Ｗ４，Ｗ５）を占める所定領域内にある場合、前記開口が前記弁体によって遮蔽されるように構成されている、
空気調和システム（１）。
【請求項２】
前記弁体移動機構は、前記開口が遮蔽されるように前記弁体を付勢する付勢部材（４７ａ，４９，９７ａ，９９）を更に有する、
請求項１に記載の空気調和システム。
【請求項３】
前記弁体が所定の第１位置にあることを検出する検出手段（６３）を更に備え、
前記駆動源は、ステッピングモータであり、前記所定の第１位置または前記所定の第１位置の近傍であって前記所定の第１位置に基づいて決定される所定の第２位置からの供与パルス数に応じて前記回転基準位置が前記回転部材の前記所定領域内に入るように前記回転部材を回転駆動し、
前記弁体移動機構は、前記ステッピングモータによって前記供与パルス数に応じて前記回転部材が回転駆動されることで、前記所定の第１位置または前記所定の第２位置から前記弁体によって前記開口が遮蔽される位置である遮蔽位置に前記弁体を移動させる、
請求項１または２に記載の空気調和システム。
【請求項４】
前記第１位置とは、前記開口が全開状態となるような前記弁体の位置、または、前記開口が全開状態となるような前記弁体の位置の近傍の位置のことである、
請求項３に記載の空気調和システム。
【請求項５】
前記空気流路を流れる空気は、加湿空気である、
請求項１から４のいずれかに記載の空気調和システム。
【請求項６】
前記空気流路は、室外の空気を室内に搬送するための流路である、
請求項１から５のいずれかに記載の空気調和システム。
【請求項７】
前記弁体移動機構は、カム機構である、
請求項１から６のいずれかに記載の空気調和システム。
【請求項８】
空気を搬送するための空気流路（６）と、
前記空気流路に設けられており、前記空気流路を流れる空気の流通を遮蔽することが可能な遮蔽機構（３０）と、を備え、
前記遮蔽機構は、前記空気流路を流れる空気が通過する開口が２つ以上形成されている形成部材（３２）と、前記開口のうちの第１の開口（３６）を閉じることが可能な第１弁体（４３）と、前記開口のうちの前記第１開口とは別の第２の開口（３７）を閉じることが可能な第２弁体（９３）と、１つの正逆回転可能なモータ（７１ａ）によって回転駆動される回転部材（４１，９１）を含み前記第１の開口または前記第２の開口が開閉されるように前記回転部材の回転を直線運動に変換して前記第１弁体および前記第２弁体を移動させることが可能な弁体移動機構（４２，９２）と、を有し、
前記弁体移動機構は、前記第１の開口が開放されており前記第２の開口が閉じられている第１状態、前記第１の開口が閉じられており前記第２の開口が開放されている第２状態、または、前記第１の開口および前記第２の開口が閉じられている第３状態となるように前記第１弁体および前記第２弁体を移動させることが可能であり、前記回転部材が回転することによって回転基準位置が前記回転部材の所定の角度範囲（Ｗ４）を占める所定領域内にある場合には前記第３状態となるように構成されている、
空気調和システム（１）。
【発明の詳細な説明】
【技術分野】
【０００１】
本発明は、空気流路を流れる空気の流通を遮蔽することが可能な空気調和システムに関する。
【背景技術】
【０００２】
従来より、空気流路を介して空気を搬送することが可能な空気調和システムがある。例えば、特許文献１（特開２００４―３５３８９８号公報）に開示されている空気調和機は、加湿空気を生成可能であり室外に設置されている室外機と、室内に設置される室内機と、室外機と室内機とを接続しており室外機において生成された加湿空気を室内に搬送するためのダクト（空気流路に相当）とを備えている。この空気調和機では、室内機内に配置される再生ファンが回転することによって、加湿空気が室外機からダクトを通じて室内機内に供給されている。
【発明の概要】
【発明が解決しようとする課題】
【０００３】
ところで、上述のような空気調和機では、例えば、室外機から室内機への加湿空気の供給が停止した場合に、加湿空気がダクト内に残留していることで、ダクト内が結露するおそれがある。そこで、室外機とダクトとの間にダンパ等の遮蔽機構を設けることで、加湿空気がダクト内に流入してダクト内に結露が発生するおそれを減らすことが考えられる。
【０００４】
しかしながら、例えば、空気流路内にダンパを設けたとしても、ダンパの隙間から空気流路内に空気が漏れるおそれがある。
【０００５】
そこで、本発明の課題は、遮蔽機構の隙間から空気流路内に空気が漏れるおそれを減らすことができる空気調和システムを提供することにある。
【課題を解決するための手段】
【０００６】
第１発明に係る空気調和システムは、空気を搬送することが可能な空気流路と、形成部材と、弁体と、弁体移動機構とを備えている。形成部材には、空気流路を流れる空気が通過する開口が形成されている。弁体は、形成部材の表面に対して交差する方向に移動することで、開口を遮蔽または開放することが可能である。弁体移動機構は、駆動源によって回転駆動される回転部材を有している。また、弁体移動機構は、開口が遮蔽または開放されるように、回転部材の回転を直線運動に変換して弁体を移動させることが可能である。さらに、弁体移動機構は、回転部材が回転することによって回転基準位置が回転部材の所定の角度範囲を占める所定領域内にある場合、開口が弁体によって遮蔽されるように構成されている。
【０００７】
第１発明に係る空気調和システムでは、回転基準位置が回転部材の所定領域内にある場合には、弁体によって開口が遮蔽される。このため、例えば、弁体移動機構が回転基準位置と回転部材の所定位置とが一致した場合にのみ弁体によって開口が遮蔽されるように構成されている場合と比較して、開口が遮蔽されないおそれを減らすことができる。
【０００８】
これによって、遮蔽機構の隙間から空気流路内に空気が漏れるおそれを減らすことができる。
【０００９】
なお、回転基準位置は、回転部材の回転によって変動しない位置である。
【００１０】
第２発明に係る空気調和システムは、第１発明の空気調和システムであって、弁体移動機構は、開口が遮蔽されるように弁体を付勢する付勢部材を更に有する。このため、例えば、弁体の移動のみで開口が塞がれる場合と比較して、弁体を開口に押し付けることができる。
【００１１】
これによって、遮蔽機構の隙間から空気流路内に空気が漏れるおそれを減らすことができる。
【００１２】
第３発明に係る空気調和システムは、第１発明または第２発明の空気調和システムであって、弁体が所定の第１位置にあることを検出する検出手段を更に備える。また、駆動源は、ステッピングモータである。さらに、駆動源は、所定の第１位置または所定の第２位置からの供与パルス数に応じて、回転基準位置が回転部材の所定領域内に入るように、回転部材を回転駆動する。所定の第２位置とは、所定の第１位置の近傍であって、所定の第１位置に基づいて決定される位置である。さらに、弁体移動機構は、ステッピングモータによって供与パルス数に応じて回転部材が回転されることで、所定の第１位置または所定の第２位置から弁体によって開口が遮蔽される位置である遮蔽位置に弁体を移動させる。
【００１３】
第３発明に係る空気調和システムでは、ステッピングモータが供与パルス数に応じて回転部材を回転することで、弁体が、所定の第１位置または所定の第２位置から遮蔽位置まで移動する。このため、駆動源が供与パルス数に応じて回転するようなステッピングモータであっても、回転基準位置が回転部材の所定領域内にある場合には弁体を遮蔽位置に移動させることができる。
【００１４】
これによって、開口が遮蔽されないおそれを減らすことができる。
【００１５】
なお、供与パルス数とは、モータに供給されるパルス数のことである。
【００１６】
第４発明に係る空気調和システムは、第３発明の空気調和システムであって、第１位置とは、開口が全開状態となるような弁体の位置、または、開口が全開状態となるような弁体の位置の近傍の位置のことである。このため、この空気調和システムでは、開口が全開状態となるような弁体の位置、または、開口が全開状態となるような弁体の位置の近傍の位置から遮蔽位置に弁体を移動させることができる。
【００１７】
これによって、弁体によって開口を遮蔽することができる。
【００１８】
第５発明に係る空気調和システムは、第１発明から第４発明のいずれかの空気調和システムであって、空気流路を流れる空気は、加湿空気である。このため、この空気調和システムでは、空気流路内を流れる加湿空気の流通を遮蔽することができる。
【００１９】
第６発明に係る空気調和システムは、第１発明から第５発明のいずれかの空気調和システムであって、空気流路は、室外の空気を室内に搬送するための流路である。このため、この空気調和システムでは、室外から室内に流れる空気の流通を遮蔽することができる。
【００２０】
第７発明に係る空気調和システムは、第１発明から第５発明のいずれかの空気調和システムであって、弁体移動機構は、カム機構である。このため、この空気調和システムでは、カム機構によって、弁体を移動させることができる。
【００２１】
第８発明に係る空気調和システムは、空気を搬送するための空気流路と、空気流路に設けられている遮蔽機構とを備えている。遮蔽機構は、空気流路を流れる空気の流通を遮蔽することが可能である。また、遮蔽機構は、形成部材と、第１弁体と、第２弁体と、弁体移動機構とを有する。形成部材には、空気流路を流れる空気が通過する開口が２つ以上形成されている。第１弁体は、前記開口のうちの第１の開口を閉じることが可能である。第２弁体は、前記開口のうちの前記第１の開口とは別の第２の開口を閉じることが可能である。弁体移動機構は、１つの正逆回転可能なモータによって回転駆動される回転部材を含む。また、弁体移動機構は、第１の開口または第２の開口が開閉されるように、回転部材の回転を直線運動に変換して、第１弁体または第２弁体を移動させることが可能である。さらに、弁体移動機構は、第１状態、第２状態、または、第３状態となるように、第１弁体および第２弁体を移動させることが可能である。第１状態とは、第１の開口が開放されており、第２の開口が閉じられている状態のことである。第２状態とは、第１の開口が閉じられており第２の開口が開放されている状態のことである。第３状態とは、第１の開口および第２の開口が閉じられている状態のことである。また、弁体移動機構は、回転部材が回転することによって回転基準位置が回転部材の所定の角度範囲を占める所定領域内にある場合には、第３状態となるように構成されている。
【００２２】
第８発明に係る空気調和システムでは、回転基準位置が回転部材の所定領域内にある場合には、第１の開口および第２の開口が閉じられるように弁体を移動させることができる。このため、例えば、モータが供給されるパルス数に応じて正逆回転するようなモータであっても、回転基準位置が所定領域内に入るように回転部材を回転することで、第１の開口および第２の開口を閉じることができる。
【００２３】
これによって、遮蔽機構の隙間から空気流路内に空気が漏れるおそれを減らすことができる。
【発明の効果】
【００２４】
第１発明に係る空気調和システムでは、遮蔽機構の隙間から空気流路内に空気が漏れるおそれを減らすことができる。
【００２５】
第２発明に係る空気調和システムでは、遮蔽機構の隙間から空気流路内に空気が漏れるおそれを減らすことができる。
【００２６】
第３発明に係る空気調和システムでは、開口が遮蔽されないおそれを減らすことができる。
【００２７】
第４発明に係る空気調和システムでは、弁体によって開口を遮蔽することができる。
【００２８】
第５発明に係る空気調和システムでは、空気流路内を流れる加湿空気の流通を遮蔽することができる。
【００２９】
第６発明に係る空気調和システムでは、室外から室内に流れる空気の流通を遮蔽することができる。
【００３０】
第７発明に係る空気調和システムでは、カム機構によって、弁体を移動させることができる。
【００３１】
第８発明に係る空気調和システムでは、遮蔽機構の隙間から空気流路内に空気が漏れるおそれを減らすことができる。
【図面の簡単な説明】
【００３２】
【図１】本発明の実施形態に係る空気調和機の概略冷媒回路図。
【図２】本発明の実施形態に係る空気調和機の概念図。
【図３】加湿ユニットの分解斜視図。
【図４】空気流路切り換え機構が第２状態である場合の空気流路切り換え機構の断面図。
【図５】遮蔽部の分解斜視図。
【図６】円筒カム部における（ａ）ギアの平面図、（ｂ）ギアを図６（ａ）の矢印Ｋ１方向から視た側面図。
【図７】円筒カム部において（ａ）駆動カムを平面上に展開した状態で示す平面展開図、（ｂ）ギア側カム部を平面上に展開した状態で示す平面展開図。
【図８】円筒カム部における（ａ）駆動カムの平面図、（ｂ）駆動カムを図８（ａ）の矢印Ｋ２方向から視た側面図。
【図９Ａ】円筒カム部を平面上に展開した状態で示す平面展開図。
【図９Ｂ】円筒カム部とカム溝との関係を示す概略図。
【図１０】弁体が（ａ）開口を開放している状態を示す図、（ｂ）開口に接触している状態を示す図、（ｃ）開口によって変形されている状態を示す図。
【図１１】遮蔽部の平面図（カバーは省略）。
【図１２】カバーの平面図。
【図１３】（ａ）カバーの断面図（図１２のXIII（ａ）−XIII（ａ）断面に相当）、（ｂ）カバーを図１２のXIII（ｂ）−XIII（ｂ）で切断し図１２の矢印Ｋ３方向から視たカバーの側面図。
【図１４】空気流路切り換え機構が第１状態である場合の空気流路切り換え機構の断面図。
【図１５】空気流路切り換え機構が第３状態である場合の空気流路切り換え機構の断面図。
【図１６】（ａ）遮蔽部を平面視した場合の円筒カム部におけるカム溝の位置および凸部の位置を示す概略図、（ｂ）円筒カム部の回転位置が図１６（ａ）に示す位置にある場合の弁体の位置を示す概略図。
【図１７】（ａ）遮蔽部を平面視した場合の円筒カム部におけるカム溝の位置および凸部の位置を示す概略図、（ｂ）円筒カム部の回転位置が図１７（ａ）に示す位置にある場合の弁体の位置を示す概略図。
【図１８】（ａ）遮蔽部を平面視した場合の円筒カム部におけるカム溝の位置および凸部の位置を示す概略図、（ｂ）円筒カム部の回転位置が図１８（ａ）に示す位置にある場合の弁体の位置を示す概略図。
【図１９】シャフトに取り付けられた状態のガイド板の拡大図。
【図２０】制御部の制御ブロック図。
【図２１】空気流路切り換え機構の状態と弁体およびカム溝との関係を示す図。
【発明を実施するための形態】
【００３３】
本発明の一実施形態に係る空気調和システムが採用された空気調和機１について、空気調和機１の構成図である図１を用いて説明する。この空気調和機１は、複数の部屋（本実施形態では、２つの部屋）内に対して室外空気を供給可能な空気調和機である。
【００３４】
空気調和機１は、図１に示すように、１台の室外機３と、２台の室内機２ａ，２ｂとが冷媒配管によって並列に接続されているマルチタイプの空気調和機である。また、この空気調和機１は、冷房運転、暖房運転、除湿運転、加湿運転、給気運転および排気運転等の運転を行うことができる。室外機３は、室外熱交換器２４や室外ファン２９などを内部に収容する室外空調ユニット４と、加湿ユニット５とを備えている。室内機２ａ，２ｂの内部には室内熱交換器１１ａ，１１ｂおよび室内ファン１２ａ，１２ｂ等が収容されている。また、加湿ユニット５と室内機２ａ，２ｂとの間には、加湿ユニット５の内部空間と室内機２ａ，２ｂの内部空間と連通させることが可能な吸排気ダクト６が設けられている。吸排気ダクト６は、主に、屋内に配置される室内ダクト９ａ，９ｂと、加湿ユニット５内に配置される加湿ダクト５８と、室内ダクト９ａ，９ｂと加湿ダクト５８とを接続している室外ダクト８ａ，８ｂとから構成されている。
【００３５】
以下に、空気調和機１の備える室内機２ａ，２ｂおよび室外機３について説明する。
【００３６】
＜室内機の構成＞
空気調和機１は、上述のように、２台の室内機２ａ，２ｂを備えている。第１室内機２ａは、図２に示すように、第１部屋１ａ内に配置されており、第１部屋１ａの壁面等に設置される壁掛け型の室内機である。また、第２室内機２ｂは、第２部屋１ｂ内に配置されており、第１室内機２ａと同様に第２部屋１ｂ内の壁面等に設置される壁掛け型の室内機である。また、第１室内機２ａおよび第２室内機２ｂは、図１に示すように、冷媒配管を介して室外機３に接続されている。
【００３７】
次に、第１室内機２ａの構成について説明する。なお、第１室内機２ａと第２室内機２ｂとは、同様の構成であるため、ここでは、第１室内機２ａの構成のみを説明する。
【００３８】
第１室内機２ａ内には、図１に示すように、第１室内ファン１２ａおよび上述の第１室内熱交換器１１ａ等が収容されている。
【００３９】
第１室内熱交換器１１ａは、長手方向両端で複数回折り返されてなる伝熱管と、伝熱管から挿通される複数のフィンとからなり、接触する空気との間で熱交換を行う。
【００４０】
第１室内ファン１２ａは、円筒形状に構成され、周面には回転軸方向に羽根が設けられている。第１室内ファン１２ａは、回転駆動することによって、回転軸と交わる方向に空気流を生成する。第１室内ファン１２ａは、第１部屋１ａ内の空気を第１室内機２ａ内に吸い込ませるとともに、第１室内熱交換器１１ａとの間で熱交換を行った後の空気を第１部屋１ａ内に吹き出させる。
【００４１】
また、第１室内機２ａ内には、吸排気ダクト６の一部である第１室内ダクト９ａが配置されている。第１室内ダクト９ａには開口が設けられており、この開口は第１室内熱交換器１１ａの表面と対向する位置に配置されている。具体的な開口の位置とは、第１室内ファン１２ａが回転し空気流が生成されている状態で、第１室内機２ａの上部に設けられている空気取込口の下流側であり、かつ、第１室内熱交換器１１ａの上流側である。
【００４２】
＜室外機の構成＞
室外機３は、図１に示すように、下部の室外空調ユニット４と、上部の加湿ユニット５とから構成されている。このため、この室外機３では、室外空調ユニット４と加湿ユニット５との電源を一元化することができる。
【００４３】
室外空調ユニット４は、図１に示すように、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された室外膨張弁２５ａ，２５ｂとを有している。室外膨張弁２５ａ，２５ｂは、フィルタ２６ａ，２６ｂおよび液閉鎖弁２７ａ，２７ｂを介して液冷媒配管に接続されており、この液冷媒配管を介して室内熱交換器１１ａ，１１ｂの一端と接続されている。また、四路切換弁２２は、ガス閉鎖弁２８ａ，２８ｂを介してガス冷媒配管に接続されており、このガス冷媒配管を介して室内熱交換器１１ａ，１１ｂの他端と接続されている。
【００４４】
また、加湿ユニット５は、図１に示すように、室外機３の上部に配置されている。また、加湿ユニット５は、部屋１ａ，１ｂ内から取り込まれた空気を室外へと排気したり、室外から取り込まれた空気を部屋１ａ，１ｂ内へと供給したりすることができる。また、室外から取り込まれた空気を加湿して部屋１ａ，１ｂ内へと供給することもできる。
【００４５】
また、加湿ユニット５は、図１および図３に示すように、加湿ユニットケーシング７と、加湿ロータ５１、加熱装置５２、吸排気切り換えダンパ５３、吸排気ファン５４、吸着用送風装置５５および空気流路切り換え機構３０等を備えている。
【００４６】
加湿ユニットケーシング７は、図３に示すように、加湿ロータ５１、加熱装置５２、吸排気ファン５４、吸排気切り換えダンパ５３、吸着用送風装置５５および空気流路切り換え機構３０等を収納している。
【００４７】
加湿ユニットケーシング７の前面には、図１および図３に示すように、複数のスリット状の開口からなる吸着用空気吹き出し口７ａが設けられている。また、加湿ユニットケーシング７の背面には、吸着用空気取込口７ｂおよび吸排気口７ｃが設けられている。吸着用空気取込口７ｂは、加湿ロータ５１に水分を吸着させるために室外から取り込まれる空気が通る開口である。吸排気口７ｃは、給気運転および加湿運転時に、室外から加湿ユニット５内に取り込まれ室内機２ａ，２ｂに送られる空気が通る開口である。また、吸排気口７ｃは、排気運転時に、室内機２ａ，２ｂから取り込まれ加湿ユニット５内から室外へと排気される空気が通る開口である。
【００４８】
加湿ロータ５１は、ハニカム構造のセラミックロータであり、概ね円盤形状の外形を有している。また、加湿ロータ５１は、回転可能に設けられており、ロータ駆動用モータによって回転駆動される。さらに、加湿ロータ５１の主たる部分は、ゼオライト等の吸着剤から焼成されている。ゼオライト等の吸着剤は、接触する空気中の水分を吸着するとともに、吸着した水分を加熱されることによって脱着するという性質を有している。なお、本実施形態では、吸着剤としてゼオライトを用いているが、シリカゲルやアルミナ等を吸着剤として用いることも可能である。
【００４９】
加熱装置５２は、加湿ロータ５１の上方に位置しており、加湿ロータ５１に対向して配置されている。また、加熱装置５２は、加湿ロータ５１へ送られる空気を加熱することにより、加湿ロータ５１を加熱することができる。
【００５０】
吸排気ファン５４は、加湿ロータ５１の側方に配置されており、室外から取り込まれ室内機２ａ，２ｂへと送られる空気の流れを生成するラジカルファン組立体である。吸排気ファン５４は、吸排気口７ｃから加湿ロータ５１および吸排気切り換えダンパ５３を経て部屋１ａ，１ｂ内へと到る空気の流れを生成して、室外から取り入れた空気を室内機２ａ，２ｂへと送ることができる。また、吸排気ファン５４は、室内機２ａ，２ｂから取り入れた部屋１ａ，１ｂ内の空気を室外へと排出することもできる。このように、吸排気ファン５４は、吸排気口７ｃを介して室外から取り入れた空気を室内機２ａ，２ｂへと搬送したり、室内機２ａ，２ｂから取り入れた部屋１ａ，１ｂ内の空気を室外へと搬送したりすることができる。なお、吸排気ファン５４は、吸排気切り換えダンパ５３が切り換わることによって、これらの動作を切り換える。
【００５１】
例えば、吸排気ファン５４は室外から取り入れた空気を第１室内機２ａまたは第２室内機２ｂへと送る場合には、図１に示すように、加湿ロータ５１のうちの加熱装置５２と対向する部分を通過した空気を、吸排気切り換えダンパ５３、および、空気流路切り換え機構３０を経て第１室外ダクト８ａまたは第２室外ダクト８ｂへと送り出す。
【００５２】
加湿ダクト５８は、図１に示すように、その内部空間が吸排気口７ｃを介して加湿ユニットケーシング７の外部空間と連通している。また、加湿ダクト５８は、上述のように、室外ダクト８ａ，８ｂに接続されている。このため、吸排気ファン５４が回転することで、加湿ダクト５８の内部空間を流れる室外空気を、室外ダクト８ａ，８ｂを介して室内機２ａ，２ｂへと供給ことができる。また、室外ダクト８ａ，８ｂを通って室内機２ａ，２ｂへ送られる空気は、上述のように室内機２ａ，２ｂ内部において室内熱交換器１１ａ，１１ｂの表面に吹き出される。
【００５３】
また、吸排気ファン５４は、室内機２ａ，２ｂから取り入れた部屋１ａ，１ｂ内の空気を室外へと排出する場合には、室外ダクト８ａ，８ｂおよび加湿ダクト５８を通ってきた部屋１ａ，１ｂ内の空気を吸排気口７ｃから室外へと排出する。
【００５４】
吸着用送風装置５５は、吸着用ファンモータ５９ｂと、吸着用ファンモータ５９ｂによって回転駆動される吸着ファン５９ａとを有し、加湿ロータ５１のうちの加熱装置５２と対向しない部分を通過する空気の流れを生成する。すなわち、吸着用送風装置５５は、吸着用空気取込口７ｂから吸い込まれ、加湿ロータ５１のうちの加熱装置５２と対向しない部分を通過し、ベルマウス５９ｃの開口を通り、吸着用空気吹き出し口７ａから室外へ排出される空気の流れを生成する。
【００５５】
吸排気切り換えダンパ５３は、吸排気ダンパと、吸排気ダンパを回転させるためのダンパ駆動用モータ５３ａ（図２０参照）とを含む、回転式の空気流路切り換え手段である。また、吸排気切り換えダンパ５３は、吸排気ファン５４の下方に配置される。さらに、吸排気切り換えダンパ５３では、ダンパ駆動用モータ５３ａが吸排気ダンパを回転させることで、給気状態と排気状態とが切り換えられる。
【００５６】
給気状態では、吸排気ファン５４によって、加湿ユニット５側から室内機２ａ，２ｂ側に向かう空気流が生成される。例えば、吸排気切り換えダンパ５３が給気状態であり空気流路切り換え機構３０が第１状態である場合、吸排気ファン５４から吹き出された空気は、加湿ダクト５８を経て第１室外ダクト８ａを通って第１室内機２ａへと供給されるようになる。このため、吸排気切り換えダンパ５３が給気状態であり、かつ、空気流路切り換え機構３０が第１状態である場合、図１に示すＡ１方向に空気が流れ、室外空気が加湿され、または、加湿されずに第１室外ダクト８ａを通って第１室内機２ａへと供給される。
【００５７】
また、例えば、吸排気切り換えダンパ５３が給気状態であり空気流路切り換え機構３０が第２状態である場合、吸排気ファン５４から吹き出された空気は、加湿ダクト５８を経て第２室外ダクト８ｂを通って第２室内機２ｂへと供給されるようになる。このため、吸排気切り換えダンパ５３が給気状態であり、かつ、空気流路切り換え機構３０が第２状態である場合、図１に示すＡ２方向に空気が流れ、室外空気が加湿され、または、加湿されずに第２室外ダクト８ｂを通って第２室内機２ｂへと供給される。
【００５８】
排気状態では、吸排気ファン５４によって、室内機２ａ，２ｂ側から加湿ユニット５側に向かう空気流が生成される。例えば、吸排気切り換えダンパ５３が排気状態であり空気流路切り換え機構３０が第１状態である場合、吸排気ファン５４が回転することによって、第１室内機２ａから取り込まれた第１部屋１ａ内の空気は、第１室外ダクト８ａを経て加湿ダクト５８を通って室外へと排気されるようになる。このため、吸排気切り換えダンパ５３が排気状態であり、かつ、空気流路切り換え機構３０が第１状態である場合、図１に示すＡ３方向に空気が流れ、第１室内機２ａから第１室外ダクト８ａおよび加湿ダクト５８を通ってきた空気が、吸排気口７ｃを経て室外へと排気される。
【００５９】
また、例えば、吸排気切り換えダンパ５３が排気状態であり空気流路切り換え機構３０が第２状態である場合、第２室内機２ｂから取り込まれた第２部屋１ｂ内の空気は、第２室外ダクト８ｂを経て加湿ダクト５８を通って室外へと排気されるようになる。このため、吸排気切り換えダンパ５３が排気状態であり、かつ、空気流路切り換え機構３０が第２状態である場合、図１に示すＡ４方向に空気が流れ、第２室内機２ｂから第２室外ダクト８ｂおよび加湿ダクト５８を通ってきた空気が、吸排気口７ｃを経て室外へと排気される。
【００６０】
空気流路切り換え機構３０は、図１、図２および図３に示すように、加湿ユニット５内に収納されている空気流路切り換え手段である。以下、空気流路切り換え機構３０の構成について説明する。
【００６１】
＜空気流路切り換え機構の構成＞
空気流路切り換え機構３０は、後述する下部ケーシング３２に形成されている開口３６，３７を開閉することで、加湿ユニット５と第１室内機２ａとの間に形成される空気流路、すなわち、加湿ダクト５８、第１室外ダクト８ａおよび第１室内ダクト９ａを流れる空気の流通、および、加湿ユニット５と第２室内機２ｂとの間に形成される空気流路、すなわち、加湿ダクト５８、第２室外ダクト８ｂおよび第２室内ダクト９ｂを流れる空気の流通を遮蔽したり開放したりする。また、空気流路切り換え機構３０は、加湿ダクト５８の一部である切換部ケーシング３３と、遮蔽部４０を備えている。
【００６２】
切換部ケーシング３３は、吸排気ファン５４を内部に収納している。また、切換部ケーシング３３は、図３および図４に示すように、主に、上部ケーシング３１と下部ケーシング３２とから構成されている。
【００６３】
上部ケーシング３１には、後述する遮蔽部４０のシャフト４７，９７が挿通可能な開口３１ａ，３１ｂが形成されている。また、切換部ケーシング３３と遮蔽部４０とが組み合わされた場合、上部ケーシング３１の上側には、開口３１ａ，３１ｂを覆うように取付板８２が取り付けられる。
【００６４】
下部ケーシング３２には、吸排気ファン５４が空気を吸い込むための開口３４と、室外ダクト８ａ，８ｂに接続される２つの開口３６，３７とが形成されている。なお、下部ケーシング３２の開口３６，３７は、下部ケーシング３２と上部ケーシング３１とが組み合わせられたときに、上部ケーシング３１の開口３１ａ，３１ｂと対向する位置に設けられている。
【００６５】
このような構成によって、図４に示すように、切換部ケーシング３３の内部空間と第１室外ダクト８ａの内部空間とは開口３６を介して連通しており、切換部ケーシング３３内部空間と第２室外ダクト８ｂの内部空間とは開口３７を介して連通している。このため、上部ケーシング３１と下部ケーシング３２とが組み合わされて接合されることで、吸排気ファン５４から流れてきた空気が、切換部ケーシング３３の内部から開口３６，３７を介してそれぞれの室外ダクト８ａ，８ｂに流れる。なお、切換部ケーシング３３は、室外から部屋１ａ，１ｂ内または部屋１ａ，１ｂ内から室外に流れる空気が通る加湿ダクト５８の一部である。したがって、切換部ケーシング３３内部を流れる空気は、吸排気ファン５４によって、室外から部屋１ａ，１ｂ内に、または、部屋１ａ，１ｂ内から室外に搬送される。
【００６６】
遮蔽部４０は、図５に示すように、主に、１つのモータ７１ａを有する駆動部７１と、駆動部７１によって回転駆動される２つの円筒状カム４２，９２と、２つの弁体４３，９３とを備えている。駆動部７１は、モータ７１ａと、モータ７１ａの回転力を円筒状カム４２，９２の有する被駆動歯車４６ａ，９６ａに伝達するためのギア群７０とを有している。円筒状カム４２，９２は、円筒カム部４１，９１と、ガイド板４５，９５とを有している。弁体４３，９３は、シャフト４７，９７と、押え板４８，９８と、パッキン４９，９９とを有している。以下、遮蔽部４０の備える各構成部品について説明する。
【００６７】
（１）円筒状カム
遮蔽部４０は、上述のように、２つの円筒状カム４２，９２を備えており、円筒状カム４２，９２は、モータ７１ａから伝わる回転力を直線移動力に変換して弁体４３，９３に伝達することで、弁体４３，９３を直線的に移動させることができる。また、円筒状カム４２，９２は、円筒カム部４１，９１と、ガイド板４５，９５とを有している。なお、本実施形態では、２つの円筒状カム４２，９２の構成は同様であるため、ここでは、円筒状カム４２の構成についてのみ説明を行い、円筒状カム９２については、円筒状カム４２の構成部品に付される４０番台の符号を９０番台に読み替えることによって、説明を省略する。
【００６８】
ガイド板４５は、図５に示すように、その中心に孔４５ａが形成されている略円筒形状の部材である。また、孔４５ａには後述するシャフト４７の一端部が挿通されており、ガイド板４５は、Ｅリング４１ｂ，４１ｉによってシャフト４７に取り付けられている。このため、ガイド板４５は、シャフト４７の軸方向への移動、すなわち、上下方向への移動が規制されている。また、ガイド板４５には、その外周面から外側方向に向かって突出する突出部４５ｂが設けられている。さらに、ガイド板４５は、突出部４５ｂが後述するギア側カム面４６ｄと駆動カム側カム面４４ｄとの間に挟まれるように、円筒カム部４１の内側に配置される。
【００６９】
円筒カム部４１は、両端に開口を有する略円筒形状の駆動カム４４と、駆動カム４４の内側に嵌め込まれるギア４６とが組み合わされて構成されている。
【００７０】
ギア４６は、図５および図６に示すように、円盤形状の板状部材である円板部４６ｂと、円板部４６ｂの縁部から立設されるギア側カム部４６ｃとを含む。ギア側カム部４６ｃは、その上端部にギア側カム面４６ｄを有している。ギア側カム面４６ｄは、ギア側カム部４６ｃを平面上に展開した状態で示す平面展開図である図７（ｂ）に示すように、水平に延びる底面部４６ｅと、水平に延びる上面部４６ｈと、底面部４６ｅと上面部４６ｈとを連結するために所定の角度で傾斜している斜面部４６ｆ，４６ｇとを含む。また、斜面部４６ｆ，４６ｇは、上面部４６ｈから連続して形成されている第１斜面部４６ｇと、底面部４６ｅから連続して形成されている第２斜面部４６ｆとから構成されている。また、図７（ｂ）に示すように、第２斜面部４６ｆは、第１斜面部４６ｇの傾きよりも緩やかな傾きを有している。
【００７１】
また、ギア側カム部４６ｃは、被係合部４６ｉを有している。さらに、円板部４６ｂの下側には、モータ７１ａからの回転力が伝達されることで回転する被駆動歯車４６ａが形成されている。また、円板部４６ｂおよび被駆動歯車４６ａには、その中心にシャフト４７が挿通可能な孔４６ｊが形成されている。
【００７２】
駆動カム４４は、図５および図８に示すように、その両端に開口を有する略円筒形状の部材であって、第１部分４４ａと、第１部分４４ａの縁部から外側方向、すなわち、外周方向に向かってに延びるように形成されている第２部分４４ｂと、第２部分４４ｂの縁部から第１部分４４ａの延びている方向とは反対側の方向に延びるように形成されている第３部分４４ｃとを含む。また、第２部分４４ｂは、ギア４６と駆動カム４４とが組み合わされた状態で、ギア側カム面４６ｄと所定の間隔を空けて対向するように配置される駆動カム側カム面４４ｄを含む。なお、ここでいう所定の間隔、すなわち、ギア側カム面４６ｄと駆動カム側カム面４４ｄとの距離は、ガイド板４５の突出部４５ｂの端面の直径の長さよりも長い。
【００７３】
駆動カム側カム面４４ｄは、図７（ａ）に示すように、ギア側カム面４６ｄの上面部４６ｈに対向する上面部４４ｈと、ギア側カム面４６ｄの底面部４６ｅに対向する底面部４４ｅと、ギア側カム面４６ｄの斜面部４６ｆ，４６ｇと対向する斜面部４４ｆ，４４ｇとを有する。また、駆動カム側カム面４４ｄの斜面部４４ｆ，４４ｇは、ギア側カム面４６ｄの斜面部４６ｆ，４６ｇと同様に、上面部４４ｈから連続して形成されている第１斜面部４４ｇと、底面部４４ｅから連続して形成されている第２斜面部４４ｆとから構成されている。また、図７（ａ）に示すように、第２斜面部４４ｆは、第１斜面部４４ｇの傾きよりも緩やかな傾きを有している。
【００７４】
また、第２部分４４ｂは、ギア側カム部４６ｃの被係合部４６ｉと係合可能な係合部４４ｉを有している。係合部４４ｉが被係合部４６ｉと係合することで、ギア側カム面４６ｄと駆動カム側カム面４４ｄとが所定の間隔を空けて互いに対向するように配置される。
【００７５】
このような構成によって、駆動カム４４とギア４６とが組み合わされて、駆動カム側カム面４４ｄとギア側カム面４６ｄとが所定の間隔を空けて互いに対向するように配置されることで、円筒カム部４１の内側には、ガイド板４５の突出部４５ｂを案内するためのカム溝４１ａが形成される。以下、円筒カム部４１の内側に形成されているカム溝４１ａについて説明する。
【００７６】
図９Ａは、円筒カム部４１，９１を平面上に展開した状態で示す平面展開図である。また、図９Ｂは、円筒カム部４１，９１とカム溝４１ａ，９１ａとの関係を概略的に示す図である。カム溝４１ａは、図９Ａに示すように、壁面に上面部４４ｈ，４６ｈを含む上溝部４１ｈと、壁面に底面部４４ｅ，４６ｅを含む下溝部４１ｅと、壁面に斜面部４４ｆ，４４ｇ，４６ｆ，４６ｇを含む中溝部４１ｆ，４１ｇと有する。また、中溝部４１ｆ，４１ｇは、壁面に第１斜面部４４ｇ，４６ｇを含む第１中溝部４１ｇと、壁面に第２斜面部４４ｆ，４６ｆを含む第２中溝部４１ｆとから構成されている。このため、第２中溝部４１ｆは、第１中溝部４１ｇの傾きよりも緩やかな傾きを有している。
【００７７】
また、円筒カム部４１は、駆動部７１が駆動することによって、正方向または逆方向に所定角度（本実施形態では、３４２．６°）だけ回転可能である（図９Ｂ参照）。このため、ガイド板４５の突出部４５ｂは、円筒カム部４１の回転角度に応じて変化するカム溝４１ａを案内される。したがって、円筒カム部４１の回転角度に応じて、カム溝４１ａにおける突出部４５ｂの位置が変化する。なお、図９Ｂでは、円筒カム部４１において、上溝部４１ｈが形成されている範囲（角度範囲）をＷ１で示し、第１中溝部４１ｇが形成されている範囲をＷ２で示し、第２中溝部４１ｆが形成されている範囲をＷ３で示し、下溝部４１ｅが形成されている範囲をＷ４およびＷ５で示している。また、範囲Ｗ４とは、ガイド板４５，９５の突出部４５ｂ，９５ｂが共に下溝部４１ｅ，９１ｅに位置する範囲のことである。
【００７８】
さらに、駆動カム４４の第３部分４４ｃの下部には、図８に示すように、その外周面の一部から外側方向に突出する凸部４４ｃａが設けられている。
【００７９】
（２）弁体
遮蔽部４０は、上述のように、２つの弁体４３，９３を備えている。また、本実施形態では、弁体４３，９３は同様の構成であるため、ここでは、弁体４３の構成についてのみ説明を行い、弁体９３については、弁体４３の構成部品に付される４０番台の符号を９０番台に読み替えることによって、説明を省略する。
【００８０】
弁体４３は、図５に示すように、シャフト４７と、押え板４８と、パッキン４９とを有している。
【００８１】
押え板４８は、その中心にシャフト４７が挿通する孔４８ａが形成されている略円錐台形状の部材である。また、押え板４８の側面上部には、図１０（ａ）に示すように、パッキン４９の端部が嵌合可能な溝部４８ｂが形成されている。さらに、押え板４８の側面下部には、凹部４８ｃが形成されている。
【００８２】
シャフト４７は、上述のように、ガイド板４５の孔４５ａに挿通しており、その一端部にガイド板４５が取り付けられている。具体的には、ガイド板４５は、シャフト４７の軸方向に所定距離だけ移動可能なように、Ｅリング４１ｂ，４１ｉによってシャフト４７に取り付けられている（図１９参照）。また、シャフト４７の他端部は、押え板４８に形成されている孔４８ａを挿通している。さらに、押え板４８は、Ｅリング４１ｃ，４１ｄによってシャフト４７に固定されている。
【００８３】
パッキン４９は、ゴム製または樹脂製の弾性変形可能な材料からなる有底円筒状の部材であって、押え板４８の下側から押え板４８に嵌装される。また、パッキン４９の側面部は、押え板４８の側面部とは合致しないように形成されている。このため、図１０に示すように、パッキン４９が押え板４８に装着された状態では、押え板４８の凹部４８ｃ内部には、凹部４８ｃの開口部をパッキン４９に覆われた空間Ｓ１が形成される。
【００８４】
（３）駆動部
駆動部７１は、上述のように、駆動源としての１つのモータ７１ａと、モータ７１ａの回転力を円筒状カム４２，９２の有する被駆動歯車４６ａ，９６ａに伝達するためのギア群７０とを有している。
【００８５】
モータ７１ａは、後述する制御部６０からの駆動指示、すなわち、制御部６０から供給されるパルス数によって制御される正逆回転可能なステッピングモータである。また、モータ７１ａの駆動軸には、駆動歯車７１ｂが固定されている。この駆動歯車７１ｂは、図１１に示すように、ギア群７０に含まれる第１ギア７０ａと噛み合うように配置されている。また、第１ギア７０ａは、円筒状カム４２の有する被駆動歯車４６ａと噛み合うように配置されている。このため、駆動歯車７１ｂが回転することで、第１ギア７０ａを介して被駆動歯車４６ａが回転する。したがって、駆動歯車７１ｂが回転すると、その駆動力を受けて円筒カム部４１が回転する。なお、図１１は、遮蔽部４０の平面図であって、取付板８２に円筒状カム４２，９２が取り付けられる時の位置、すなわち、遮蔽部４０の組み立て位置におけるカム溝４１ａ，９１ａの位置を示す概略図である。
【００８６】
また、ギア群７０は、上述の第１ギア７０ａの他に、図１１において右側に配置される円筒カム部４１（以下、第１円筒カム部４１という）の被駆動歯車４６ａと噛み合うように配置されている第２ギア７０ｂ、および、２つの円筒カムのうち第１円筒カム部４１とは別の円筒カム部９１（図１１において左側に配置されている円筒カム部、以下、第２円筒カム部９１という）の被駆動歯車９６ａおよび第２ギア７０ｂと噛み合うように配置されている第３ギア７０ｃを含む。
【００８７】
このため、モータ７１ａが駆動することによって駆動歯車７１ｂが回転し、第１ギア７０ａを介して第１円筒カム部４１の被駆動歯車４６ａが回転する。また、被駆動歯車４６ａが回転することで第２ギア７０ｂおよび第３ギア７０ｃを介して第２円筒カム部９１の被駆動歯車９６ａが回転する。このような構成によって、１つのモータ７１ａによって、２つの円筒カム部４１，９１を同期して駆動させることができる。
【００８８】
また、遮蔽部４０は、カバー７２を備えている。カバー７２は、図５および図１２に示すように、２つの円筒カム部４１，９１の外周を覆うことができるように２つの円が重なったような形状の板状の上面部７３と、上面部７３端部から立設される側面部７４とを有する。また、カバー７２は、内面部７５を有している。内面部７５は、その一部が側面部７４と対向するように、カバー７２の内側に配置されている。
【００８９】
内面部７５は、両端に開口を有する円筒形状を呈しており、その一端の開口が上面部７３によって覆われている。また、内面部７５は、内面部７５の内側にガイド板４５，９５の円板形状部分が収納可能なように、内面部７５の開口の直径がガイド板４５，９５の円板形状部分の直径よりも大きくなるように形成されている。さらに、内面部７５には、図１２および図１３に示すように、上下方向に延びるスリット状の切り欠き部７５ａが形成されている。このスリット状の切り欠き部７５ａには、円筒状カム４２，９２とカバー７２とが組み合わされた状態で、ガイド板４５，９５の突出部４５ｂ，９５ｂが収納される。このように、スリット状の切り欠き部７５ａに突出部４５ｂ，９５ｂが収納されるため、ガイド板４５，９５と駆動カム４４，９４およびギア４６，９６との共回りを防止することができる。すなわち、ガイド板４５，９５の回転を規制することができる。これによって、円筒カム部４１，９１を回転させても、ガイド板４５，９５およびガイド板４５，９５が取り付けられているシャフト４７，９７を有する弁体４３，９３は、回転することなく上下方向に移動する。また、図１２に示すように、内面部７５の切り欠き部７５ａは、２つのガイド板４５，９５の突出部４５ｂ，９５ｂの端面が対向して配置されるような位置に形成されている。
【００９０】
また、カバー７２の側面部７４の下部には、図５に示すように、スイッチ軸７６が挿通可能な開口７４ａが形成されている。スイッチ軸７６は、駆動カム９４の第３部分９４ｃに設けられている凸部９４ｃａに接触することによってリミットスイッチ８０の有するレバー８１を押す。言い換えると、駆動カム９４の凸部９４ｃａは、カバー７２の有するスイッチ軸７６を介してレバー８１を押すことができる。
【００９１】
さらに、２つの円筒状カム４２，９２、２つの弁体４３，９３、および、駆動部７１は、図５および図１１に示すように、取付板８２に取り付けられている。なお、円筒状カム４２，９２の有する円筒カム部４１，９１は、図１１に示す点Ｏに対して点対称となる位置に配置されている。また、図１１中の点Ｏは、２つの円筒カム部４１，９１の中心からの距離が等しく、かつ、２つの円筒状カム４２，９２の中心を結んだ線上の点、すなわち、対称の中心となる点である。このため、円筒カム部４１を、図１１に示す点Ｏを中心に１８０度回転させた位置に、円筒カム部９１が配置されている。
【００９２】
また、遮蔽部４０は、リミットスイッチ８０を備えている。
【００９３】
リミットスイッチ８０は、図５および図１１に示すように、レバー８１を有するマイクロスイッチであり、レバー８１が押されることによってＯＮ信号を出力する。レバー８１は、常にカバー７２の有するスイッチ軸７６と接触しており、スイッチ軸７６が駆動カム９４の凸部９４ｃａと対峙することで押される。
【００９４】
リミットスイッチ８０は、スイッチ軸７６が凸部９４ｃａと対峙したときには、レバー８１がスイッチ軸７６を介して凸部９４ｃａに押されることでＯＮ信号を発する（図１６（ａ）および図１８（ａ）参照）。また、リミットスイッチ８０は、スイッチ軸７６が凸部９４ｃａと対峙していないときには、レバー８１が凸部９４ｃａに押されないため、ＯＦＦ信号を発する（図１１および図１７（ａ）参照）。なお、リミットスイッチ８０から出力されたＯＮ信号またはＯＦＦ信号は、後述する制御部６０に取り込まれる。
【００９５】
このような構成によって、遮蔽部４０では、モータ７１ａが駆動することで駆動歯車７１ｂが回転し、駆動歯車７１ｂが回転することで第１ギア７０ａを介して第１円筒カム部４１の被駆動歯車４６ａが回転する。第１円筒カム部４１の被駆動歯車４６ａが回転することで、第１円筒カム部４１が回転する。また、第１円筒カム部４１の被駆動歯車４６ａが回転することで、第２ギア７０ｂおよび第３ギア７０ｃを介して第２円筒カム部９１の被駆動歯車９６ａが回転する。第２円筒カム部９１の被駆動歯車９６ａが回転することで、第２円筒カム部９１が回転する。また、円筒カム部４１，９１の内側には、ガイド板４５，９５の突出部４５ｂ，９５ｂを案内するためのカム溝４１ａ，９１ａが形成されているため、円筒カム部４１，９１が回転することによって、ガイド板４５，９５を、シャフト４７，９７の軸方向、すなわち、上下方向に所定位置（図４および図９Ａに示す第１位置Ｐ１および第２位置Ｐ２）まで移動させることができる。
【００９６】
また、ガイド板４５，９５が上下方向に移動することによって、ガイド板４５，９５が取り付けられているシャフト４７，９７は、上下方向、すなわち、下部ケーシング３２の表面に対して交差する方向に直線的に移動する。このため、ガイド板４５，９５の突出部４５ｂ，９５ｂが上溝部４１ｈ，９１ｈから下溝部４１ｅ，９１ｅに向かって案内されることで、ガイド板４５，９５が下方向に移動される（図９Ａ参照）。また、ガイド板４５，９５が下方向に移動されることで、弁体４３，９３の押え板４８，９８およびパッキン４９，９９が図４に示す第３位置Ｐ３ｂ（所定の第２位置に相当）から下方向に移動される。そして、ガイド板４５，９５の突出部４５ｂ，９５ｂが下溝部４１ｅ，９１ｅまで案内されることで、押え板４８，９８およびパッキン４９，９９が、図４に示す第４位置Ｐ４（遮蔽位置に相当）まで移動される。押え板４８，９８およびパッキン４９，９９が、図４に示す第４位置Ｐ４まで移動されることで、開口３６，３７が塞がれる。また、このとき、図１０に示すように、パッキン４９，９９が開口３６，３７の端部に接触した後に、さらに、弁体４３，９３の押え板４８，９８およびパッキン４９，９９が下方向に移動されることで、パッキン４９，９９が内側に折れ曲がる。このため、押え板４８，９８とパッキン４９，９９との間に形成されている空間Ｓ１が小さくなる（図１０（ｃ）参照）。
【００９７】
このようにして、加湿ダクト５８の内部空間と室外ダクト８ａ，８ｂの内部空間との連通が遮蔽される。すなわち、加湿ユニット５から室内機２ａ，２ｂに向かう空気の流通が遮蔽されることになる。なお、円筒カム部４１，９１は、弁体４３，９３の移動中心軸を回転中心として回転する。言い換えると、円筒カム部４１，９１の回転中心軸は、弁体４３，９３の移動中心軸と同一線上にある。
【００９８】
また、ガイド板４５，９５の突出部４５ｂ，９５ｂが下溝部４１ｅ，９１ｅから上溝部４１ｈ，９１ｈに向かって案内されることで、ガイド板４５，９５が上方向に移動される（図９Ａ参照）。また、ガイド板４５，９５が上方向に移動されることで、弁体４３，９３の押え板４８，９８およびパッキン４９，９９も上方向に移動される。これによって、押え板４８，９８およびパッキン４９，９９によって塞がれていた開口３６，３７が、開放される。
【００９９】
さらに、空気流路切り換え機構３０は、モータ７１ａを駆動させ円筒カム部４１，９１を回転させて弁体４３，９３を上下方向に移動させることで、開口３６（以下、第１開口という）が開放されており開口３７（以下、第２開口という）が閉じられている第１状態（図１４参照）、第１開口３６が閉じられており第２開口３７が開放されている第２状態（図４参照）、および、第１開口３６および第２開口３７が閉じられている第３状態（図１５参照）に切り換わることが可能である。以下に、第１状態、第２状態、および、第３状態について、図４、図９Ａ、図１４および図１５を用いて説明する。
【０１００】
第１状態とは、第１円筒カム部４１によって案内されるガイド板４５の突出部である第１突出部４５ｂが第１円筒カム部４１の内側に形成されている上溝部４１ｈに位置しており、かつ、第２円筒カム部９１によって案内されるガイド板９５の突出部である第２突出部９５ｂが第２円筒カム部９１の内側に形成されている下溝部９１ｅに位置している状態である。このため、図１４に示すように、第１弁体４３の押え板４８およびパッキン４９が第１開口３６を開放する位置である第３位置Ｐ３ｂに配置され、第２弁体９３の押え板９８およびパッキン９９が第２開口３７を塞ぐ位置である第４位置Ｐ４に配置される。したがって、加湿ダクト５８の内部空間と第１室外ダクト８ａの内部空間とが第１開口３６を介して連通することになる。これによって、給気状態の場合には、加湿ダクト５８を通ってきた空気が、第１室内機２ａへと供給されるようになる。
【０１０１】
第２状態とは、第１突出部４５ｂが下溝部４１ｅに位置しており、かつ、第２突出部９５ｂが上溝部９１ｈに位置している状態である。このため、図４に示すように、第１弁体４３の押え板４８およびパッキン４９が第１開口３６を塞ぐ位置である第４位置Ｐ４に配置され、第２弁体９３の押え板９８およびパッキン９９が第２開口３７を開放する位置である第３位置Ｐ３ｂに配置される。したがって、加湿ダクト５８の内部空間と第２室外ダクト８ｂの内部空間とが第２開口３７を介して連通することになる。これによって、給気状態の場合には、加湿ダクト５８を通ってきた空気が、第２室内機２ｂへと供給されるようになる。
【０１０２】
第３状態とは、第１突出部４５ｂが下溝部４１ｅに位置しており、かつ、第２突出部９５ｂが下溝部９１ｅに位置している状態である。このため、図１５に示すように、第１弁体４３の押え板４８およびパッキン４９が第１開口３６を塞ぐ位置である第４位置Ｐ４に配置され、第２弁体９３の押え板９８およびパッキン９９が第２開口３７を塞ぐ位置である第４位置Ｐ４に配置される。したがって、加湿ダクト５８の内部空間と室外ダクト８ａ，８ｂの内部空間とは連通していないため、室外から室内に向かう空気の流通が遮蔽された状態となる。これによって、加湿ユニット５から室内機２ａ，２ｂには、空気が供給されないことになる。
【０１０３】
次に、空気流路切り換え機構３０における状態の切り換えとモータ７１ａの駆動との関係について図１６、図１７および図１８を用いて説明する。
【０１０４】
なお、図１６（ａ）、図１７（ａ）および図１８（ａ）は、遮蔽部４０の平面視において、円筒カム部４１，９１におけるカム溝４１ａ，９１ａの位置および凸部４４ｃａ，９４ｃａの位置を示す概略図である。なお、図１６（ａ）および図１８（ａ）では、凸部９４ｃａがレバー８１と対峙した時点、すなわち、リミットスイッチ８０から出力される信号がＯＦＦ信号からＯＮ信号に切り換わる時点における円筒カム部４１，９１の回転位置（状態）を概略的に示している。また、図１６（ｂ）は、円筒カム部４１，９１の回転位置、すなわち、回転基準位置に位置する突出部４５ｂ，９５ｂと円筒カム部４１，９１におけるカム溝４１ａ，９１ａとが図１６（ａ）に示す位置にある場合の弁体４３，９３の開口３６，３７からの距離、すなわち、弁体４３，９３の位置を示す概略図である。図１７（ｂ）は、円筒カム部４１，９１の回転位置が図１７（ａ）に示す位置にある場合の弁体４３，９３の位置を示す概略図である。図１８（ｂ）は、円筒カム部４１，９１の回転位置が図１８（ａ）に示す位置にある場合の弁体４３，９３の位置を示す概略図である。なお、図１６（ｂ）に示す符号Ｐ３ａはリミットスイッチ８０から出力される信号がＯＦＦ信号からＯＮ信号に切り換わる時点の弁体４３，９３の位置である検知位置（所定の第１位置に相当）を示し、符号Ｐ３ｂは開口３６，３７が完全に開放された状態（全開状態に相当）の弁体４３，９３の位置、すなわち、突出部４５ｂ，９５ｂが上溝部４１ｈ，９１ｈに位置しているときの弁体４３，９３の位置である第３位置を示し、符号Ｐ４は開口３６，３７が閉じられている状態の弁体４３，９３の位置である第４位置を示している。
【０１０５】
モータ７１ａは、正逆回転可能なモータであるため、モータ７１ａが正方向（図１６の矢印Ｙ１方向）に回転した場合には、第１円筒カム部４１の被駆動歯車４６ａは正方向に回転し、第２円筒カム部９１の被駆動歯車９６ａは正方向とは逆の方向である逆方向に回転する。また、モータ７１ａが逆方向（図１８の矢印Ｙ２方向）に回転した場合には、第１円筒カム部４１の被駆動歯車４６ａは逆方向に回転し、第２円筒カム部９１の被駆動歯車９６ａは逆方向とは逆の方向である正方向に回転する。
【０１０６】
このため、空気流路切り換え機構３０が第３状態である場合、すなわち、第１突出部４５ｂが第１円筒カム部４１の内側に形成されている下溝部４１ｅにおいて図９Ａおよび図９Ｂに示す範囲Ｗ４に位置しており、かつ、第２突出部９５ｂが第２円筒カム部９１の内側に形成されている下溝部９１ｅにおいて図９Ａおよび図９Ｂに示す範囲Ｗ４に位置している状態で、モータ７１ａが正方向に回転した場合には、第１突出部４５ｂは、第１円筒カム部４１の内側に形成されている下溝部４１ｅから中溝部４１ｆ，４１ｇを通って上溝部４１ｈに案内される（図９Ａ、図９Ｂ、図１６および図１７参照）。言い換えると、第１突出部４５ｂは、下溝部４１ｅにおいて図９Ａおよび図９Ｂに示す範囲Ｗ４の位置から、図９Ａおよび図９Ｂに示す範囲Ｗ３および図９Ａおよび図９Ｂに示す範囲W２を経て、図９Ａおよび図９Ｂに示す範囲W１の位置まで移動する。このとき、第１突出部４５ｂを有するガイド板４５である第１ガイド板４５が上方向に移動されるため、第１ガイド板４５に固定されている弁体４３である第１弁体４３も上方向に移動される。したがって、第１弁体４３の押え板４８およびパッキン４９によって塞がれていた第１開口３６が開放される（図１６（ｂ）参照）。また、第１円筒カム部４１と第２円筒カム部９１とは、図１１中の点Ｏに対して点対称となる位置に配置されて取付板８２に取り付けられているため、第２突出部９５ｂは第２円筒カム部９１の内側に形成されている下溝部９１ｅにおいて図９Ａおよび図９Ｂに示す範囲Ｗ５の範囲を案内されることになる。このとき、第２突出部９５ｂを有するガイド板９５である第２ガイド板９５は上下方向に移動されないため、第２ガイド板９５に固定されている弁体９３である第２弁体９３も移動せず、第２開口３７が塞がれた状態が維持される（図１６（ｂ）参照）。
【０１０７】
このようにして、空気流路切り換え機構３０の状態が、第３状態から第１状態に切り換わる。
【０１０８】
また、空気流路切り換え機構３０が第１状態である場合、すなわち、第１突出部４５ｂが第１円筒カム部４１の内側に形成されている上溝部４１ｈにおいて図９Ａおよび図９Ｂに示す範囲Ｗ１に位置しており、かつ、第２突出部９５ｂが第２円筒カム部９１の内側に形成されている下溝部９１ｅにおいて図９Ａおよび図９Ｂに示す範囲Ｗ５に位置している状態で、モータ７１ａが逆方向に回転した場合には、第１突出部４５ｂは、第１円筒カム部４１の内側に形成されている上溝部４１ｈから中溝部４１ｆ，４１ｇを通って下溝部４１ｅに案内される（図９Ａ、図９Ｂ、図１６および図１７参照）。言い換えると、第１突出部４５ｂは、上溝部４１ｈにおいて図９Ａおよび図９Ｂに示す範囲Ｗ１の位置から、図９Ａおよび図９Ｂに示す範囲W２および図９Ａおよび図９Ｂに示す範囲Ｗ３を経て、図９Ａおよび図９Ｂに示す範囲W４の位置まで移動する。このとき、第１ガイド板４５が下方向に移動されるため、第１弁体４３も下方向に移動される。したがって、開放されていた第１開口３６が、第１弁体４３の押え板４８およびパッキン４９によって塞がれる（図１７（ｂ）参照）。また、第２突出部９５ｂは、第２円筒カム部９１の内側に形成されている下溝部９１ｅにおいて図９Ａおよび図９Ｂに示す範囲Ｗ４の範囲に案内されることになる。このとき、第２ガイド板９５は上下方向に移動されないため第２弁体９３も移動せず、第２弁体９３の押え板９８およびパッキン９９によって第２開口３７が塞がれた状態が維持される（図１７（ｂ）参照）。
【０１０９】
このようにして、空気流路切り換え機構３０の状態が、第１状態から第３状態に切り換わる。
【０１１０】
また、空気流路切り換え機構３０が第３状態である場合、すなわち、第１突出部４５ｂが第１円筒カム部４１の内側に形成されている下溝部４１ｅにおいて図９Ａおよび図９Ｂに示す範囲Ｗ４に位置しており、かつ、第２突出部９５ｂが第２円筒カム部９１の内側に形成されている下溝部９１ｅにおいて図９Ａおよび図９Ｂに示す範囲Ｗ４に位置している状態で、モータ７１ａが逆方向に回転されると、第１突出部４５ｂは第１円筒カム部４１の内側に形成されている下溝部４１ｅにおいて図９Ａおよび図９Ｂに示す範囲Ｗ５の範囲を案内されることになる（図９Ａ、図９Ｂ、図１７および図１８参照）。このとき、第１ガイド板４５は上下方向に移動されないため第１弁体４３も移動せず、第１弁体４３の押え板４８およびパッキン４９によって第１開口３６が塞がれた状態が維持される（図１８（ｂ）参照）。また、第２突出部９５ｂは、第２円筒カム部９１の内側に形成されている下溝部９１ｅから中溝部９１ｆ，９１ｇを介して上溝部９１ｈに案内される（図９Ａ、図９Ｂ、図１７および図１８参照）。言い換えると。第２突出部９５ｂは、下溝部９１ｅにおいて図９Ａおよび図９Ｂに示す範囲Ｗ４の位置から、図９Ａおよび図９Ｂに示す範囲Ｗ３および図９Ａおよび図９Ｂに示す範囲W２を経て、図９Ａおよび図９Ｂに示す範囲W１の位置まで移動する。このとき、第２ガイド板９５が上方向に移動されるため、第２弁体９３も上方向に移動される。したがって、第２弁体９３の押え板９８およびパッキン９９によって塞がれていた第２開口３７が開放される（図１８（ｂ）参照）。
【０１１１】
このようにして、空気流路切り換え機構３０の状態が、第３状態から第２状態に切り換わる。
【０１１２】
また、空気流路切り換え機構３０が第２状態である場合、すなわち、第１突出部４５ｂが第１円筒カム部４１において下溝部４１ｅが形成されている範囲Ｗ５に位置しており、かつ、第２突出部９５ｂが第２円筒カム部９１において上溝部９１ｈが形成されている範囲Ｗ１に位置している状態で、モータ７１ａが正方向に回転した場合には、第１突出部４５ｂは、第１円筒カム部４１の内側に形成されている下溝部４１ｅにおいて図９Ａおよび図９Ｂに示す範囲Ｗ４の範囲に案内されることになる。このとき、第１ガイド板４５は上下方向に移動されないため第１弁体４３も移動せず、第１開口３６は第１弁体４３の押え板４８およびパッキン４９によって塞がれた状態が維持される。また、第２突出部９５ｂは、第２円筒カム部９１の内側に形成されている上溝部９１ｈから中溝部９１ｆ，９１ｇを通って下溝部９１ｅに案内される（図９Ａ、図９Ｂ、図１７および図１８参照）。言い換えると、第２突出部９５ｂは、上溝部９１ｈにおいて図９Ａおよび図９Ｂに示す範囲Ｗ１の位置から、図９Ａおよび図９Ｂに示す範囲W２および図９Ａおよび図９Ｂに示す範囲Ｗ３を経て、図９Ａおよび図９Ｂに示す範囲W４の位置まで移動する。このとき、第２ガイド板９５が下方向に移動されるため、第２弁体９３も下方向に移動される。したがって、開放されていた第２開口３７が第２弁体９３の押え板９８およびパッキン９９によって塞がれる。
【０１１３】
このようにして、空気流路切り換え機構３０の状態が、第２状態から第３状態に切り換わる。
【０１１４】
なお、空気流路切り換え機構３０の状態が、第１状態から第３状態に切り換わった状態で、更にモータ７１ａが逆方向に回転されると、第１突出部４５ｂが第１円筒カム部４１の内側に形成されている下溝部４１ｅにおいて図９Ａおよび図９Ｂに示す範囲Ｗ５の範囲に案内されることになる。このとき、第１ガイド板４５は上下方向に移動されないため第１弁体４３も移動せず、第１弁体４３の押え板４８およびパッキン４９によって第１開口３６が塞がれた状態が維持される。また、第２突出部９５ｂは、第２円筒カム部９１の内側に形成されている下溝部９１ｅから中溝部９１ｆ，９１ｇを介して上溝部９１ｈに案内される（図９Ａ、図９Ｂ、図１６、図１７および図１８参照）。このとき、第２ガイド板９５が上方向に移動されるため、第２弁体９３も上方向に移動される。したがって、第２弁体９３の押え板９８およびパッキン９９によって塞がれていた第２開口３７が開放される。
【０１１５】
このようにして、空気流路切り換え機構３０の状態が、第１状態から第２状態に切り換わる。
【０１１６】
また、空気流路切り換え機構３０の状態が、第２状態から第３状態に切り換わった状態で、更に、モータ７１ａが正方向に回転されると、第１突出部４５ｂは、第１円筒カム部４１の内側に形成されている下溝部４１ｅから中溝部４１ｆ，４１ｇを介して上溝部４１ｈに案内される（図９Ａ、図９Ｂ、図１６、図１７および図１８参照）。このとき、第１ガイド板４５が上方向に移動されるため、第１弁体４３も上方向に移動される。したがって、第１弁体４３の押え板４８およびパッキン４９によって塞がれていた第１開口３６が開放される。また、第２突出部９５ｂは、第２円筒カム部９１の内側に形成されている下溝部９１ｅにおいて図９Ａおよび図９Ｂに示す範囲Ｗ５の範囲に案内されることになる。このため、第２開口３７は第２弁体９３の押え板９８およびパッキン９９によって塞がれている状態が維持される。
【０１１７】
このようにして、空気流路切り換え機構３０の状態が、第２状態から第１状態に切り換わる。
【０１１８】
また、シャフト４７，９７はガイド板４５，９５を貫通しており、ガイド板４５，９５の上下方向への移動は、図１９に示すように、シャフト４７，９７の第５位置Ｐ５および第６位置Ｐ６に配置されるＥリング４１ｂ，４１ｉ，９１ｂ，９１ｉによって規制されている。このため、ガイド板４５，９５は、図１９に示す範囲Ｗ６を上下方向に移動可能である。また、遮蔽部４０は、弾性変機可能なバネ部材４７ａ，９７ａと、バネ受け４７ｂ，９７ｂと、を有している。また、バネ部材４７ａ，９７ａおよびバネ受け４７ｂ，９７ｂは、ガイド板４５，９５とＥリング４１ｂ，９１ｂとの間に配置されている。バネ受け４７ｂ，９７ｂは、Ｅリング４１ｂ，９１ｂによって固定されており、バネ部材４７ａ，９７ａの上下方向の移動は、ガイド板４５，９５とバネ受け４７ｂ，９７ｂとによって規制されている。このため、ガイド板４５，９５の突出部４５ｂ，９５ｂが上溝部４１ｈ，９１ｈから下溝部４１ｅ，９１ｅに案内されることでガイド板４５，９５が下方向に移動される場合には、第２中溝部４１ｆ，９１ｆにおいてバネ部材４７ａ，９７ａが圧縮される。そして、ガイド板４５，９５の突出部４５ｂ，９５ｂが下溝部４１ｅ，９１ｅに案内されたときに、バネ部材４７ａ，９７ａは最も圧縮された状態となる。また、バネ部材４７ａ，９７ａは、ガイド板４５，９５とバネ受け４７ｂ，９７ｂとによって圧縮されることで、バネ受け４７ｂ，９７ｂを下方向に押圧する。このため、バネ部材４７ａ，９７ａは、弁体４３，９３が開口３６，３７を塞ぐように付勢することができる。
【０１１９】
また、ガイド板４５，９５の突出部４５ｂ，９５ｂが下溝部４１ｅ，９１ｅから上溝部４１ｈ，９１ｈに案内されることでガイド板４５，９５が上方向に移動される場合には、第２中溝部４１ｆ，９１ｆにおいてバネ部材４７ａ，９７ａの反力によってガイド板４５，９５を上方向に押圧する。このため、バネ部材４７ａ，９７ａは、弁体４３，９３が開口３６，３７を開放するように付勢することができる。
【０１２０】
また、第２中溝部４１ｆ，９１ｆを第１中溝部４１ｇ，９１ｇよりも緩やかな傾斜にすることで、第２中溝部４１ｆ，９１ｆが第１中溝部４１ｇ，９１ｇと同様の傾斜を有する場合と比較して、バネ部材４７ａ，９７ａを圧縮するためのモータ７１ａの駆動トルクを小さくすることができる。
【０１２１】
次に、駆動部７１を駆動させるための制御部６０について説明する。
【０１２２】
＜制御部＞
制御部６０は、図２０に示すように、室内機２ａ，２ｂ、室外空調ユニット４および加湿ユニット５の各種機器と接続されており、リモートコントローラ９０を介したユーザからの指令に基づいて、冷房運転、暖房運転、除湿運転、加湿運転、給気運転、および、排気運転等の各運転モードに応じて各種機器の動作制御を行う。
【０１２３】
また、制御部６０は、遮蔽機構制御部６１を備えている。遮蔽機構制御部６１は、制御部６０からの制御指示に基づいて、空気流路切り換え機構３０の状態を切り換える。
【０１２４】
遮蔽機構制御部６１は、記憶部６２と、モータ駆動制御部６４と、決定部６５と、検知部６３とを有している。
【０１２５】
記憶部６２は、空気流路切り換え機構３０の状態が切り換えられた場合、切り換えられた空気流路切り換え機構３０の状態を、現在の空気流路切り換え機構３０の状態として記憶する。また、記憶部６２は、現在の空気流路切り換え機構３０の状態を記憶した場合、以前記憶された空気流路切り換え機構３０の状態についての情報を消去する。なお、空気流路切り換え機構３０の状態が切り換えられた場合とは、遮蔽機構制御部６１によって、空気流路切り換え機構３０の状態が切り換わったことが判断された場合のことである。このため、記憶部６２に記憶される現在の空気流路切り換え機構３０の状態は、遮蔽機構制御部６１によって判断された空気流路切り換え機構３０の状態と同一の状態となる。
【０１２６】
モータ駆動制御部６４は、モータ７１ａの回転量および回転方向を制御する。具体的には、モータ駆動制御部６４は、モータ７１ａが所定量回転するように、モータ７１ａに対して所定のパルス数を供給する。また、モータ駆動制御部６４は、モータ７１ａが正方向または逆方向に回転するように、モータ７１ａの回転方向を制御する回転方向制御信号をモータ７１ａに対して供給する。このため、モータ７１ａは、モータ駆動制御部６４から供給される回転方向制御信号およびパルス数に応じて、正方向または逆方向に所定量回転する。したがって、モータ７１ａの回転方向および回転量を制御することによって、円筒カム部４１，９１の有する被駆動歯車４６ａ，９６ａを所定方向に所定量だけ回転させることができるため、弁体４３，９３を上下方向に移動させることができる。
【０１２７】
また、モータ駆動制御部６４によってモータ７１ａに対して供給されるパルス数および回転方向制御信号は、決定部６５または検知部６３から出力される信号に基づいて決定される。なお、モータ駆動制御部６４は、決定部６５からの信号よりも検知部６３からの信号を優先する。
【０１２８】
決定部６５は、記憶部６２に記憶されている現在の空気流路切り換え機構３０の状態に基づいて、モータ駆動制御部６４によってモータ７１ａに対して供給されるモータ７１ａの回転方向およびパルス数を決定し、決定した回転方向およびパルス数に関する信号をモータ駆動制御部６４に出力する。
【０１２９】
具体的には、決定部６５は、空気流路切り換え機構３０の状態を第３状態にする場合であって記憶部６２に現在の空気流路切り換え機構３０の状態が第１状態であると記憶されている場合、モータ駆動制御部６４に対して、回転方向制御信号が「逆方向」であって供給されるパルス数が所定の第１パルス数（例えば、３０００ｐｌ）となるように、回転方向およびパルス数に関する信号を出力する。また、決定部６５は、空気流路切り換え機構３０の状態を第３状態にする場合であって記憶部６２に現在の空気流路切り換え機構３０の状態が第２状態であると記憶されている場合、モータ駆動制御部６４に対して、回転方向制御信号が「正方向」であって供給されるパルス数が所定の第１パルス数となるように、回転方向およびパルス数に関する信号を出力する。さらに、決定部６５は、空気流路切り換え機構３０の状態を第３状態にする場合であって記憶部６２に現在の空気流路切り換え機構３０の状態が第３状態であると記憶されている場合、モータ駆動制御部６４に対して、信号を出力しない。
【０１３０】
なお、モータ７１ａは、モータ駆動制御部６４から供給されるパルス数が所定の第１パルス数である場合には、円筒カム部４１，９１を約１５５度回転させる。このため、空気流路切り換え機構３０の状態が第１状態である場合に、モータ７１ａが逆方向に所定の第１パルス数分回転した場合、第１円筒カム部４１が逆方向に回転することで、１突出部４５ｂが第１円筒カム部４１の内側に形成されている上溝部４１ｈから下溝部４１ｅの範囲Ｗ４内に案内される。また、第１円筒カム部４１が逆方向に回転することで、第２円筒カム部９１が正方向に回転して、第２突出部９５ｂが第２円筒カム部９１の内側に形成されている下溝部９１ｅの範囲Ｗ５内から範囲Ｗ４内に案内される。したがって、第１弁体４３は第３位置Ｐ３ｂから第４位置Ｐ４に移動し、第２弁体９３は移動せず第４位置Ｐ４に位置し続ける。これによって、空気流路切り換え機構３０の状態が第３状態となる。すなわち、空気流路切り換え機構３０の状態が第１状態から第３状態に切り換わる。
【０１３１】
また、空気流路切り換え機構３０の状態が第２状態である場合に、モータ７１ａが正方向に所定の第１パルス数分回転した場合、第１円筒カム部４１が正方向に回転することで、１突出部４５ｂが第１円筒カム部４１の内側に形成されている下溝部４１ｅの範囲Ｗ５内から範囲Ｗ４内に案内される。また、第１円筒カム部４１が正方向に回転することで、第２円筒カム部９１が逆方向に回転して、第２突出部９５ｂが第２円筒カム部９１の内側に形成されている上溝部９１ｈから下溝部９１ｅの範囲Ｗ４内に案内される。したがって、第１弁体４３は移動せず第４位置Ｐ４に位置し続け、第２弁体９３は第３位置Ｐ３ｂから第４位置Ｐ４に移動する。これによって、空気流路切り換え機構３０の状態が第３状態となる。すなわち、空気流路切り換え機構３０の状態が第２状態から第３状態に切り換わる。
【０１３２】
また、決定部６５は、空気流路切り換え機構３０の状態を第１状態にする場合であって記憶部６２に現在の空気流路切り換え機構３０の状態が第２状態であると記憶されている場合、モータ駆動制御部６４に対して、回転方向制御信号が「正方向」であって供給されるパルス数が所定の第２パルス数（例えば、６０００ｐｌ）となるように、回転方向およびパルス数に関する信号を出力する。また、決定部６５は、空気流路切り換え機構３０の状態を第１状態にする場合であって記憶部６２に現在の空気流路切り換え機構３０の状態が第３状態であると記憶されている場合、モータ駆動制御部６４に対して、回転方向制御信号が「正方向」であって供給されるパルス数が所定の第１パルス数となるように、回転方向およびパルス数に関する信号を出力する。さらに、決定部６５は、空気流路切り換え機構３０の状態を第１状態にする場合であって記憶部６２に現在の空気流路切り換え機構３０の状態が第１状態であると記憶されている場合、モータ駆動制御部６４に対して、信号を出力しない。
【０１３３】
なお、モータ７１ａは、モータ駆動制御部６４から供給されるパルス数が所定の第２パルス数である場合には、円筒カム部４１，９１を約３１０度回転させる。このため、空気流路切り換え機構３０の状態が第２状態である場合にモータ７１ａが正方向に所定の第２パルス数分回転することで、第２円筒カム部９１を逆方向に回転させてリミットスイッチ８０からＯＮ信号を出力させることができる。
【０１３４】
また、上述のように、モータ７１ａは、モータ駆動制御部６４から供給されるパルス数が所定の第１パルス数である場合には、円筒カム部４１，９１を約１５５度回転させる。このため、空気流路切り換え機構３０の状態が第３状態である場合にモータ７１ａが正方向に所定の第１パルス数分回転することで、第２円筒カム部９１を逆方向に回転させてリミットスイッチ８０からＯＮ信号を出力させることができる。
【０１３５】
さらに、決定部６５は、空気流路切り換え機構３０の状態を第２状態にする場合であって記憶部６２に現在の空気流路切り換え機構３０の状態が第１状態であると記憶されている場合、モータ駆動制御部６４に対して、回転方向制御信号が「逆方向」であって供給されるパルス数が所定の第２パルス数となるように、回転方向およびパルス数に関する信号を出力する。また、決定部６５は、空気流路切り換え機構３０の状態を第２状態にする場合であって記憶部６２に現在の空気流路切り換え機構３０の状態が第３状態であると記憶されている場合、モータ駆動制御部６４に対して、回転方向制御信号が「逆方向」であって供給されるパルス数が所定の第１パルス数となるように、回転方向およびパルス数に関する信号を出力する。さらに、決定部６５は、空気流路切り換え機構３０の状態を第２状態にする場合であって記憶部６２に現在の空気流路切り換え機構３０の状態が第２状態であると記憶されている場合、モータ駆動制御部６４に対して、信号を出力しない。
【０１３６】
なお、モータ７１ａは、上述のように、モータ駆動制御部６４から供給されるパルス数が所定の第２パルス数である場合には、円筒カム部４１，９１を約３１０度回転させる。このため、空気流路切り換え機構３０の状態が第１状態である場合にモータ７１ａが逆方向に所定の第２パルス数分回転することで、第２円筒カム部９１を正方向に回転させてリミットスイッチ８０からＯＮ信号を出力させることができる。
【０１３７】
また、上述のように、モータ７１ａは、モータ駆動制御部６４から供給されるパルス数が所定の第１パルス数である場合には、円筒カム部４１，９１を約１５５度回転させる。このため、空気流路切り換え機構３０の状態が第３状態である場合にモータ７１ａが逆方向に所定の第１パルス数分回転することで、第２円筒カム部９１を正方向に回転させてリミットスイッチ８０からＯＮ信号を出力させることができる。
【０１３８】
検知部６３は、リミットスイッチ８０から出力される信号に基づいて、第１弁体４３または第２弁体９３が検知位置Ｐ３ａにあることを検知する。すなわち、検知部６３は、開口３６，３７が開放されたか否かを検知することができる。具体的には、検知部６３は、リミットスイッチ８０から出力される信号がＯＦＦ信号からＯＮ信号に切り換わったときに、第１弁体４３または第２弁体９３が検知位置Ｐ３ａにあること、すなわち、開口３６，３７が開放されたことを検知する。また、検知部６３は、第１弁体４３または第２弁体９３が検知位置Ｐ３ａにあること、すなわち、開口３６，３７が開放されたことを検知した場合、モータ駆動制御部６４に対して、回転方向制御信号が現在の回転方向であって供給されるパルス数が所定の第３パルス数（例えば、５００ｐｌ）となるように、回転方向およびパルス数に関する信号を出力する（図２１参照）。
【０１３９】
なお、検知位置Ｐ３ａとは、図２１に示すように、突出部４５ｂ，９５ｂが円筒カム部４１，９１の内側に形成されている第１中溝部４１ｇ，９１ｇに位置している場合、すなわち、突出部４５ｂ，９５ｂが範囲Ｗ２内に位置している場合の弁体４３，９３の位置のことである。
【０１４０】
なお、上述のように、モータ駆動制御部６４は、決定部６５から出力される信号よりも検知部６３から出力される信号を優先する。このため、モータ駆動制御部６４は、モータ７１ａが決定部６５によって決定されたパルス数分回転していなくても検知部６３からパスル数に関する信号が出力された場合には、モータ７１ａが所定の第３パルス数分だけ回転するように、モータ７１ａに対してパスル数を供給する。このため、モータ７１ａは、リミットスイッチ８０から出力される信号がＯＦＦ信号からＯＮ信号に切り換わった場合、信号が切り換わった時点から供給された所定の第３パルス数分だけ回転して停止する。したがって、円筒カム部４１，９１は、リミットスイッチ８０から出力される信号がＯＦＦ信号からＯＮ信号に切り換わった時点の回転位置から、更に、モータ７１ａによって所定の第３パルス数分だけ回転されて停止する。
【０１４１】
なお、モータ７１ａは、モータ駆動制御部６４から供給されるパルス数が所定の第３パルス数である場合には、円筒カム部４１，９１を約２０度回転させる。このため、モータ７１ａが正方向に回転しているときに検知部６３によって第１弁体４３または第２弁体９３が検知位置Ｐ３ａにあることが検知された場合、すなわち、第１開口３６または第２開口３７が開放されたことが検知された場合、モータ７１ａが更に正方向に所定の第３パルス数分回転することで、第１円筒カム部４１が正方向に更に回転して、１突出部４５ｂが第１円筒カム部４１の内側に形成されている上溝部４１ｈに案内される。また、第１円筒カム部４１が正方向に更に回転することで、第２円筒カム部９１が逆方向に更に回転して、第２突出部９５ｂが第２円筒カム部９１の内側に形成されている下溝部９１ｅを移動する。したがって、第１弁体４３が第３位置Ｐ３ｂに移動する。これによって、空気流路切り換え機構３０の状態が第１状態となる。なお、このとき、第２弁体９３は、第４位置Ｐ４に位置している。
【０１４２】
また、モータ７１ａが逆方向に回転しているときに検知部６３によって第１弁体４３または第２弁体９３が検知位置Ｐ３ａにあることが検知された場合、すなわち、第１開口３６または第２開口３７が開放されたことが検知された場合、モータ７１ａが更に逆方向に所定の第３パルス数分回転することで、第１円筒カム部４１が逆方向に更に回転して、第１突出部４５ｂが第１円筒カム部４１の内側に形成されている下溝部４１ｅを移動する。また、第１円筒カム部４１が逆方向に更に回転することで、第２円筒カム部９１が正方向に更に回転して、第２突出部９５ｂが第２円筒カム部９１の内側に形成されている上溝部９１ｈに案内される。したがって、第２弁体９３が第３位置Ｐ３ｂに移動する。これによって、空気流路切り換え機構３０の状態が第２状態となる。なお、このとき、第１弁体４３は、第４位置Ｐ４に位置している。
【０１４３】
また、遮蔽機構制御部６１は、モータ７１ａの回転方向および検知部６３の検知結果に基づいて、空気流路切り換え機構３０の状態が第１状態であるか否か、または、第２状態であるか否かを判断する。具体的には、遮蔽機構制御部６１は、検知部６３から出力される回転方向に関する信号が「正方向」、すなわち、決定部６５から出力される回転方向に関する信号が「正方向」であって、かつ、検知部６３によって開口３６，３７が開放されたことが検知された場合、第１開口３６が開放されたことを推定する。そして、遮蔽機構制御部６１は、第１開口３６が開放されたことを推定した場合、空気流路切り換え機構３０の状態が第１状態に切り換わったと判断する。そして、遮蔽機構制御部６１は、空気流路切り換え機構３０の状態が第１状態であると判断する。
【０１４４】
また、遮蔽機構制御部６１は、検知部６３から出力される回転方向に関する信号が「逆方向」、すなわち、決定部６５から出力される回転方向に関する信号が「逆方向」であって、かつ、検知部６３によって開口３６，３７が開放されたことが検知された場合、第２開口３７が開放されたことを推定する。そして、遮蔽機構制御部６１は、第２開口３７が開放されたことを推定した場合、空気流路切り換え機構３０の状態が第２状態に切り換わったと判断する。そして、遮蔽機構制御部６１は、空気流路切り換え機構３０の状態が第２状態であると判断する。
【０１４５】
さらに、遮蔽機構制御部６１は、決定部６５から出力される回転方向に関する信号が「正方向」であって、決定部６５から出力されるパルス数に関する信号が所定の第１パルス数であり、かつ、リミットスイッチ８０から出力される信号がＯＮ信号からＯＦＦ信号に切り換わった場合、第１開口３６および第２開口３７が閉じられたことを推定する。また、遮蔽機構制御部６１は、上述の条件で第１開口３６および第２開口３７が閉じられたと推定した場合、空気流路切り換え機構３０の状態が、第２状態から第３状態に切り換わったと判断する。そして、遮蔽機構制御部６１は、空気流路切り換え機構３０の状態が第３状態であると判断する。
【０１４６】
また、遮蔽機構制御部６１は、決定部６５から出力される回転方向に関する信号が「逆方向」であって、決定部６５から出力されるパルス数に関する信号が所定の第１パルス数であり、かつ、リミットスイッチ８０から出力される信号がＯＮ信号からＯＦＦ信号に切り換わった場合、第１開口３６および第２開口３７が閉じられたことを推定する。また、遮蔽機構制御部６１は、上述の条件で第１開口３６および第２開口３７が閉じられたと推定した場合、空気流路切り換え機構３０の状態が第１状態から第３状態に切り換わったと判断する。そして、遮蔽機構制御部６１は、空気流路切り換え機構３０の状態が第３状態であると判断する。
【０１４７】
また、モータ駆動制御部６４は、決定部６５から信号が出力されない場合には、モータ７１ａに対して回転方向およびパルス数の供給を行わない。また、遮蔽機構制御部６１は、決定部６５から信号が出力されない場合には、空気流路切り換え機構３０の状態を切り換える必要がないと判断する。なお、記憶部６２は、遮蔽機構制御部６１によって空気流路切り換え機構３０の状態を切り換える必要がないと判断された場合、現在記憶されている空気流路切り換え機構３０の状態を、現在の空気流路切り換え機構３０の状態として記憶する。
【０１４８】
＜制御部による制御動作＞
次に、制御部６０による空気流路切り換え機構３０の状態の切り換え動作について説明する。なお、以下には、ユーザから第２部屋１ｂ内への加湿空気の供給指示が為された場合を例として説明する。
【０１４９】
リモートコントローラ９０を介してユーザから第２部屋１ｂ内への加湿空気の供給開始指示、すなわち、第２室内機２ｂに対する加湿運転の開始指示が為された場合、制御部６０は、第１室内機２ａから第１部屋１ａ内への加湿空気の供給が為されているか否かを判断する。そして、制御部６０は、第１室内機２ａから第１部屋１ａ内への加湿空気の供給が為されていないと判断した場合、室外空気から加湿空気が生成されるように加湿ユニット５の有する各種機器を制御する。また、制御部６０は、空気流路切り換え機構３０の状態が第２状態となるように、遮蔽機構制御部６１に対して制御指示を出力する。遮蔽機構制御部６１は、制御部６０からの制御指示に基づいて、空気流路切り換え機構３０の状態を第２状態に切り換える制御を開始する。具体的には、遮蔽機構制御部６１は、記憶部６２に記憶されている現在の空気流路切り換え機構３０の状態に基づいてパルス数および回転方向を決定し、決定した回転方向およびパルス数をモータ７１ａに対して供給する。そして、モータ７１ａがモータ駆動制御部６４から供給された回転方向に供給されたパルス数分回転することで、空気流路切り換え機構３０の状態が第２状態に切り換わる。また、制御部６０は、空気流路切り換え機構３０の状態が第２状態に切り換わった後に、吸排気切り換えダンパ５３を給気状態に切り換え、かつ、吸排気ファン５４を回転駆動させる。これによって、加湿ユニット５から第２部屋１ｂ内に加湿空気が供給される。
【０１５０】
また、制御部６０は、第１室内機２ａから第１部屋１ａ内への加湿空気の供給が為されていると判断した場合、制御部６０は、空気流路切り換え機構３０の状態が第２状態となるように、遮蔽機構制御部６１に対して制御指示を出力しない。このため、加湿ユニット５から第２部屋１ｂ内に対して加湿空気は供給されない。なお、このとき、第２室内機２ｂの有する報知部から第１室内機２ａにおいて加湿運転が実行されている旨が報知されてもよい。
【０１５１】
＜特徴＞
（１）
上記実施形態では、円筒カム部４１，９１の回転位置が図１７（ａ）に示す位置、すなわち、第１突出部４５ｂが第１円筒カム部４１の内側に形成されている下溝部４１ｅにおいて図９Ａおよび図９Ｂに示す範囲Ｗ４に位置しており、かつ、第２突出部９５ｂが第２円筒カム部９１の内側に形成されている下溝部９１ｅにおいて図９Ａおよび図９Ｂに示す範囲Ｗ４に位置している場合には、弁体４３，９３によって第１開口３６および第２開口３７が閉じられる。このため、供給されるパスル数に応じて回転するモータ７１ａによって円筒カム部４１，９１が回転されても、突出部４５ｂ，９５ｂが下溝部４１ｅ，９１ｅにおける範囲Ｗ４に位置している場合には、第１開口３６および第２開口３７を閉じることができる。
【０１５２】
これによって、加湿ダクト５８内の空気が室外ダクト８ａ，８ｂ内に漏れるおそれを減らすことができている。また、加湿ダクト５８内の空気が室外ダクト８ａ，８ｂ内に漏れるおそれを減らすことができるため、空気調和機１において加湿運転が停止された後に、室外ダクト８ａ，８ｂに結露が生じるおそれを減らすことができる。このため、加湿運転の停止後再び加湿運転を開始する際に、室外ダクト８ａ，８ｂの結露水によって異音が発生するおそれを減らすことができる。
【０１５３】
また、上記実施形態では、モータ７１ａが逆方向に所定量だけ回転することで第１弁体４３によって第１開口３６が閉じられた状態となり、モータ７１ａが正方向に所定量だけ回転することで第１開口３６が開放された状態となる。また、モータ７１ａが逆方向に所定量だけ回転することで第２開口３７が開放された状態となり、モータ７１ａが正方向に所定量だけ回転することで第２弁体９３によって第２開口３７が閉じられた状態となる。すなわち、モータ７１ａが所定方向に所定量だけ回転することで、開口３６，３７が閉じられたり開放されたりする。言い換えると、第１弁体４３によって第１開口３６が閉じているときにモータ７１ａを第１方向（正方向）に所定量回転させることで第１開口３６は開放され、第１開口３６が開放されているときにモータ７１ａを第２方向（逆方向）に所定量回転させることで第１弁体４３によって第１開口３６が閉じられる。また、第２弁体９３によって第２開口３７が閉じられているときモータ７１ａを第２方向（逆方向）に所定量回転させることで第２開口３７は開放され、第２開口３７が開放されているときにモータ７１ａを第１方向（正方向）に所定量回転させることで第２弁体９３によって第２開口３７が閉じられる。このため、モータ７１ａの回転方向および回転量を制御することによって、空気流路切り換え機構３０の状態を切り換えることができる。
【０１５４】
（２）
上記実施形態では、バネ部材４７ａ，９７ａが、ガイド板４５，９５とバネ受け４７ｂ，９７ｂとによって圧縮されることで、バネ受け４７ｂ，９７ｂを下方向に押圧する。このため、バネ部材４７ａ，９７ａは、開口３６，３７が塞がれるように弁体４３，９３を付勢することができる。
【０１５５】
これによって、空気流路切り換え機構３０において、弁体４３，９３と開口３６，３７との隙間から空気が漏れるおそれを減らすことができている。また、バネ部材４７ａ，９７ａが弁体４３，９３を付勢することで、上下方向の部品間の取り付け寸法にバラツキがあった場合でも、開口３６，３７が塞がれないおそれを減らすことができる。
【０１５６】
また、上記実施形態では、パッキン４９，９９は、ゴム製または樹脂製の弾性変形可能な材料であって、押え板４８，９８の下側から押え板４８，９８に嵌装される。また、押え板４８，９８にパッキン４９，９９が装着された状態で、押え板４８，９８の凹部４８ｃ，９８ｃ内部には、凹部４８ｃ，９８ｃの開口部をパッキン４９，９９に覆われた空間Ｓ１が形成される。このため、パッキン４９，９９が開口３６，３７の端部に接触した後に、さらに、弁体４３，９３の押え板４８，９８およびパッキン４９，９９が下方向に移動されることで、パッキン４９，９９が内側に折れ曲がる。このため、押え板４８，９８とパッキン４９，９９との間に形成されている空間Ｓ１の体積が小さくなる。したがって、パッキン４９，９９は、自重およびバネ部材４７ａ，９７ａによるバネ圧によって、開口３６，３７が塞がれるように弁体４３，９３を付勢することができる。したがって、弁体４３，９３と開口３６，３７との間に隙間が生じるおそれを減らすことができる。
【０１５７】
これによって、弁体４３，９３と開口３６，３７との隙間から空気が漏れるおそれを減らすことができている。
【０１５８】
さらに、上記実施形態では、第１開口３６が開放されている場合には第２開口３７が閉じられており、第２開口３７が開放されている場合には第１開口３６が閉じられている。例えば、一方の開口が閉じられており他方の開口が開放されている状態で、閉じられている側の開口の遮蔽が不完全な場合には、開放されている側の開口に空気が通過するだけでなく、閉じられている側の開口にも空気が漏れるおそれがある。また、閉じられている側の開口を通過した空気の流速は、開放されている側の開口を通過する空気の流速よりも遅くなることが考えられる。このため、閉じられている側の開口を介して加湿ダクトと接続されている室外ダクト内には結露が発生するおそれがある。そこで、上記実施形態では、バネ部材４７ａ，９７ａおよびパッキン４９，９９によって、開口３６，３７が付勢されている。このため、バネ部材またはパッキン等の付勢部材によって弁体が付勢されない場合と比較して、弁体４３，９３と開口３６，３７との間に隙間が生じるおそれを減らすことができる。したがって、閉じられている側の開口から室外ダクトに空気が漏れるおそれを減らすことができるため、室外ダクト内に結露が発生するおそれを減らすことができる。
【０１５９】
（３）
上記実施形態では、モータ７１ａが所定の第１パルス数分回転することで、円筒カム部４１，９１を約１５５度回転させる。このため、空気流路切り換え機構３０の状態が第１状態である場合に、モータ７１ａが逆方向に所定の第１パルス数分回転した場合、第１円筒カム部４１が逆方向に回転し第２円筒カム部９１が正方向に回転して、各ガイド板４５，９５の突出部４５ｂ，９５ｂがカム溝４１ａ，９１ａに沿って上下方向に移動することで、第１弁体４３の位置が第３位置Ｐ３ｂから第４位置Ｐ４に移動し、第２弁体９３の位置は移動せず第４位置Ｐ４に位置し続ける。これによって、第１開口３６および第２開口３７が塞がれた状態、すなわち、空気流路切り換え機構３０の状態が第３状態となる。また、空気流路切り換え機構３０の状態が第２状態である場合に、モータ７１ａが正方向に所定の第１パルス数分回転した場合、第１円筒カム部４１が正方向に回転し、第２円筒カム部９１が逆方向に回転して、各ガイド板４５，９５の突出部４５ｂ，９５ｂがカム溝４１ａ，９１ａに沿って上下方向に移動することで、第１弁体４３の位置は移動せず第４位置Ｐ４に位置し続け、第２弁体９３の位置は第３位置Ｐ３ｂから第４位置Ｐ４に移動する。これによって、第１開口３６および第２開口３７が塞がれた状態、すなわち、空気流路切り換え機構３０の状態が第３状態となる。このため、突出部４５ｂ，９５ｂが下溝部４１ｅ，９１ｅの範囲Ｗ４に位置している場合には、第１弁体４３および第２弁体９３を第４位置Ｐ４に配置することができる。したがって、第１開口３６および第２開口３７が塞がれた状態とならないおそれを減らすことができている。
【０１６０】
これによって、室外から部屋１ａ，１ｂ内に搬送される空気の流通が遮蔽されないおそれを減らすことができている。
【０１６１】
（４）
上記実施形態では、切換部ケーシング３３内部を流れる空気には、加湿空気が含まれる。このため、この空気調和機１では、空気流路切り換え機構３０において、加湿空気の流通を遮蔽することができる。
【０１６２】
（５）
上記実施形態では、切換部ケーシング３３は、室外から部屋１ａ，１ｂ内または部屋１ａ，１ｂ内から室外に流れる空気が通る加湿ダクト５８の一部である。このため、吸排気ファン５４によって、切換部ケーシング３３内部を流れる空気を、室外から部屋１ａ，１ｂ内に、または、部屋１ａ，１ｂ内から室外に搬送することができる。したがって、この空気調和機１では、空気流路切り換え機構３０において、室外から部屋１ａ，１ｂ内に搬送される空気の流通を遮蔽することができる。
【０１６３】
（６）
上記実施形態では、円筒状カム４２，９２は、モータ７１ａから伝わる回転力を直線移動力に変換して弁体４３，９３に伝達することで、弁体４３，９３を直線的に移動させる。このため、円筒状カム４２，９２によって、弁体４３，９３を直線的に移動させることができている。
【０１６４】
＜変形例＞
（Ａ）
上記実施形態では、加湿ユニット５を稼働することによって、室外から２つの部屋１ａ，１ｂ内に室外空気を供給可能である。
【０１６５】
これに代えて、３つ以上の部屋、すなわち、複数の部屋内に室外空気が供給されてもよい。
【０１６６】
例えば、１台の室外機と３台の室内機とが接続されている空気調和機では、１台の室内機を１つの部屋内に設置することで、室外から３つの部屋内に室外空気を供給可能となる。なお、各室内機には、各室内機に対してそれぞれ室内ダクトおよび室外ダクトが接続される。また、空気流路切り換え機構の下部ケーシングには、各室外ダクトと加湿ダクトとを接続するための開口が３つ形成されており、各室外ダクトは各開口を介して加湿ダクトに接続される。さらに、空気流路切り換え機構の遮蔽部は、駆動部の他に、各開口を開閉するための、３つの円筒状カムと、３つの弁体とを備えている。
【０１６７】
このように、複数の弁体によって複数の開口を遮蔽することが可能な空気流路切り換え機構を設けることで、１台の室外機から複数の室内機に加湿空気を供給することができる。
【０１６８】
これによって、１台の室外機によって複数の部屋内を加湿することができる。
【０１６９】
（Ｂ）
上記実施形態では、モータ駆動制御部６４は、弁体が第３位置Ｐ３ｂから第４位置Ｐ４に移動するようにモータ７１ａに対して所定の第１パルス数を供給しているが、これに限定されず、弁体が検知位置Ｐ３ａから第４位置Ｐ４に移動するようにモータに対して所定のパルス数を供給してもよい。
【０１７０】
（Ｃ）
上記実施形態では、開口３６，３７が弁体４３，９３によって開閉されているが、これに限定されず、例えば、開口近傍に取り付けられた蓋部材がリンク棒によって開閉されてもよい。また、１つの開口がボールバルブ式三方弁（例えば、水用三方弁等）の構造を有する遮蔽部によって開閉されてもよい。
【産業上の利用可能性】
【０１７１】
本発明は、遮蔽機構の隙間から空気流路内に空気が漏れるおそれを減らすことができるため、空気が流通する流路を有する空気調和機への適用が有効である。
【符号の説明】
【０１７２】
１      空気調和機（空気調和システム）
６      吸排気ダクト（空気流路）
３０      空気流路切り換え機構（遮蔽機構）
３２      下部ケーシング（形成部材）
３６      第１開口（開口、第１の開口）
３７      第２開口（開口、第２の開口）
４３      第１弁体（弁体）
６３      検出部（検出手段）
７１ａ    モータ（駆動源）
９３      第２弁体（弁体）
４１，９１  円筒カム部（回転部材）
４２，９２  円筒状カム（弁体移動機構）
４７ａ，９７ａ  バネ部材（付勢部材）
４９，９９  パッキン（付勢部材）
【先行技術文献】
【特許文献】
【０１７３】
【特許文献１】特開２００４―３５３８９８号公報
【図１】
2010175177.tif 000003
【図２】
2010175177.tif 000004
【図３】
2010175177.tif 000005
【図４】
2010175177.tif 000006
【図５】
2010175177.tif 000007
【図６】
2010175177.tif 000008
【図７】
2010175177.tif 000009
【図８】
2010175177.tif 000010
【図９Ａ】
2010175177.tif 000011
【図９Ｂ】
2010175177.tif 000012
【図１０】
2010175177.tif 000013
【図１１】
2010175177.tif 000014
【図１２】
2010175177.tif 000015
【図１３】
2010175177.tif 000016
【図１４】
2010175177.tif 000017
【図１５】
2010175177.tif 000018
【図１６】
2010175177.tif 000019
【図１７】
2010175177.tif 000020
【図１８】
2010175177.tif 000021
【図１９】
2010175177.tif 000022
【図２０】
2010175177.tif 000023
【図２１】
2010175177.tif 000024